(57)【要約】【課題】ブラウザによる取引において、情報提供Ｗｅｂページと送信可能Ｗｅｂページをアクセスしている時、情報提供Ｗｅｂページのドキュメント情報に基づいて送信可能Ｗｅｂページの送信処理を自動的に行う。【解決手段】 ブラウザであって、情報提供Ｗｅｂページと送信可能Ｗｅｂページをアクセスしている時、前記情報提供Ｗｅｂページを処理しているタスクにおいて、情報提供Ｗｅｂページのドキュメント情報を取り出すドキュメント情報取得部と、取得されたドキュメント情報に基づいて前記送信可能Ｗｅｂページを処理しているタスクにメッセージを通知するメッセージ通知部と、その後、送信可能Ｗｅｂページを処理している前記タスクにおいて、前記情報提供Ｗｅｂページから通知された前記メッセージを取得するメッセージ取得部と、取得されたメッセージに基づき前記送信可能Ｗｅｂページの送信機能と同等の送信処理を自動的に行う送信処理部と、を含む。 【選択図】図１
2007323545.tif 000002
【特許請求の範囲】
【請求項１】
ウェブブラウザプログラムであって、情報提供Ｗｅｂページと送信可能Ｗｅｂページをアクセスしている時、前記情報提供Ｗｅｂページを処理しているタスクにおいて、前記情報提供Ｗｅｂページのドキュメント情報を取り出すドキュメント情報取得部と、取得された前記ドキュメント情報に基づいて前記送信可能Ｗｅｂページを処理しているタスクにメッセージを通知するメッセージ通知部と、その後、送信可能Ｗｅｂページを処理している前記タスクにおいて、前記情報提供Ｗｅｂページから通知された前記メッセージを取得するメッセージ取得部と、取得された前記メッセージに基づき前記送信可能Ｗｅｂページの送信機能と同等の送信処理を自動的に行う送信処理部と、を備えたウェブブラウザプログラム。
【請求項２】
前記情報提供Ｗｅｂページを処理しているタスクにおいて、前記情報提供Ｗｅｂページのドキュメント情報を取り出すタイミングが、一定時間間隔ごとであることを特徴とする請求項１に記載のウェブブラウザプログラム。
【請求項３】
前記情報提供Ｗｅｂページが1つ以上であることを特徴とする請求項１または２に記載のウェブブラウザプログラム。
【請求項４】
取得された前記メッセージに基づき前記送信可能Ｗｅｂページの送信機能と同等の送信処理を自動的に行う送信処理部において、前記送信可能Ｗｅｂページのドキュメント情報を取り出すドキュメント情報取得部と、当該ドキュメント情報を解析するドキュメント情報解析部と、をさらに備えたことを特徴とする請求項１から３の何れか１項に記載のウェブブラウザプログラム。
【請求項５】
取得された前記メッセージに基づき前記送信可能Ｗｅｂページの送信機能と同等の送信処理を自動的に行う送信処理部において、予めローカルストレージに記録された送信パラメータデータを参照することを特徴とする請求項４に記載のウェブブラウザプログラム。
【請求項６】
ウェブブラウザプログラムであって、情報提供Ｗｅｂページと送信可能Ｗｅｂページをアクセスしている時、前記情報提供Ｗｅｂページを処理しているタスクにおいて、前記情報提供Ｗｅｂページのドキュメント情報を取り出すドキュメント情報取得部と、取得された前記ドキュメント情報に基づいて前記送信可能Ｗｅｂページを処理しているタスクにメッセージを通知するメッセージ通知部と、その後、送信可能Ｗｅｂページを処理している前記タスクにおいて、前記情報提供Ｗｅｂページから通知された前記メッセージを取得するメッセージ取得部と、取得された前記メッセージに基づき前記送信可能Ｗｅｂページの送信機能と同等の送信処理を自動的に行う送信処理部と、を備えたウェブブラウザプログラムを記録しているコンピュータ可読媒体。
【発明の詳細な説明】
【技術分野】
【０００１】
本発明は、インターネットブラウジングに際して、ウェブブラウザプログラム（Ｗｅｂページ閲覧ソフトウェア、以後ブラウザと表記）がアクセス中の1つ以上の情報提供Ｗｅｂページの情報に基づき、アクセス中の別の送信可能Ｗｅｂページにおいて、自動的に送信処理を可能とするブラウザの技術に関する。
【背景技術】
【０００２】
インターネットのＷｅｂサイトを閲覧するためのソフトウェアとして、各種のブラウザが提供されている。現在では、Ｍｉｃｒｏｓｏｆｔ社の「ＩｎｔｅｒｎｅｔＥｘｐｌｏｒｅｒ」がかなりのシェアを占めるほか、Ｎｅｔｓｃａｐｅ社の「ＮｅｔｓｃａｐｅＮａｖｉｇａｔｏｒ」、「Ｍｏｚｉｌｌａ」、ＯｐｅｒａＳｏｆｔｗａｒｅ社の「Ｏｐｅｒａ」などが著名なＷｅｂブラウザである。
【０００３】
最近、インターネット上の商取引が増加するに伴い、時々刻々変化する市況情報を閲覧しながら、Ｗｅｂページで取引することが多くなっている。このようなＷｅｂ上での取引は、ユーザーがブラウザで取引関連情報（市況等）を閲覧しながら、最適のタイミングを計りながら取引（売買、受発注、予約等）を実行する。この時、取引関連情報を閲覧するＷｅｂページと実際の取引のＷｅｂページは同一であることが多い。
【０００４】
しかし、ユーザーの多様な取引関連情報に対する欲求から、同一Ｗｅｂサイトでも実際の取引Ｗｅｂページとは異なるＷｅｂページで取引関連情報を閲覧したり、あるいは別Ｗｅｂサイトでの取引関連情報を閲覧したりすることもある。
【０００５】
このように、ブラウザで多様な取引関連情報（市況等）を閲覧しながら、取引を処理したいユーザーは、取引関連情報（市況等）が表示される時間帯は絶えず、Ｗｅｂページ（1つ以上）を注視し、最適のタイミングで取引を成立させたいと願っている。したがって、ユーザーには、取引の時間帯において、時間的に拘束され、精神的ストレスも生じ、人為的ミスの可能性も存在する。
【発明の開示】
【発明が解決しようとする課題】
【０００６】
解決しようとする問題点は、インターネット上でのブラウザによる取引において、ユーザーが1つ以上のＷｅｂページの取引関連情報（市況等）を閲覧しながら、別のＷｅｂページで取引を処理する時、時間的拘束、人的負担が多大な点である。
【０００７】
本発明はこのような課題を改善されるべく開発されたもので、ブラウザの機能の一部として、アクセス中の1つ以上の情報提供Ｗｅｂページのドキュメント情報を取得し、解析し、アクセス中の別の送信可能Ｗｅｂページにメッセージを送る。前記送信可能Ｗｅｂページは前記1つ以上のメッセージを受け取り、前記1つ以上のメッセージを分析して、しかるべきタイミングで、人手を介さず自動的に送信処理を行うことが可能なモジュールを有するブラウザ、及びそのブラウザを記録したコンピュータ可読媒体を提供するものである。
【課題を解決するための手段】
【０００８】
上記課題を解決するため、請求項１に記載の発明においては、
ブラウザであって、情報提供Ｗｅｂページと送信可能Ｗｅｂページをアクセスしている時、前記情報提供Ｗｅｂページを処理しているタスクにおいて、前記情報提供Ｗｅｂページのドキュメント情報を取り出すドキュメント情報取得部と、取得された前記ドキュメント情報に基づいて前記送信可能Ｗｅｂページを処理しているタスクにメッセージを通知するメッセージ通知部と、その後、送信可能Ｗｅｂページを処理している前記タスクにおいて、前記情報提供Ｗｅｂページから通知された前記メッセージを取得するメッセージ取得部と、取得された前記メッセージに基づき前記送信可能Ｗｅｂページの送信機能と同等の送信処理を自動的に行う送信処理部と、を備えたブラウザであることを特徴としている。
【０００９】
また、上記課題を解決するため、請求項２に記載の発明においては、
前記情報提供Ｗｅｂページを処理しているタスクにおいて、前記情報提供Ｗｅｂページのドキュメント情報を取り出すタイミングが、一定時間間隔ごとであることを特徴とする請求項１に記載のブラウザであることを特徴としている。
【００１０】
また、上記課題を解決するため、請求項３に記載の発明においては、
前記情報提供Ｗｅｂページが1つ以上であることを特徴とする請求項１または２に記載のブラウザであることを特徴としている。
【００１１】
また、上記課題を解決するため、請求項４に記載の発明においては、
取得された前記メッセージに基づき前記送信可能Ｗｅｂページの送信機能と同等の送信処理を自動的に行う送信処理部において、前記送信可能Ｗｅｂページのドキュメント情報を取り出すドキュメント情報取得部と、当該ドキュメント情報を解析するドキュメント情報解析部と、をさらに備えたことを特徴とする請求項１から３の何れか１項に記載のブラウザであることを特徴としている。
【００１２】
また、上記課題を解決するため、請求項５に記載の発明においては、
取得された前記メッセージに基づき前記送信可能Ｗｅｂページの送信機能と同等の送信処理を自動的に行う送信処理部において、予めローカルストレージに記録された送信パラメータデータを参照することを特徴とする請求項４に記載のブラウザであることを特徴としている。
【００１３】
また、上記課題を解決するため、請求項６に記載の発明においては、
ブラウザであって、情報提供Ｗｅｂページと送信可能Ｗｅｂページをアクセスしている時、前記情報提供Ｗｅｂページを処理しているタスクにおいて、前記情報提供Ｗｅｂページのドキュメント情報を取り出すドキュメント情報取得部と、取得された前記ドキュメント情報に基づいて前記送信可能Ｗｅｂページを処理しているタスクにメッセージを通知するメッセージ通知部と、その後、送信可能Ｗｅｂページを処理している前記タスクにおいて、前記情報提供Ｗｅｂページから通知された前記メッセージを取得するメッセージ取得部と、取得された前記メッセージに基づき前記送信可能Ｗｅｂページの送信機能と同等の送信処理を自動的に行う送信処理部と、を備えたブラウザを記録しているコンピュータ可読媒体であることを特徴としている。
【発明の効果】
【００１４】
本発明は、インターネットのブラウザによるネット取引において、前記のような処理部を有するブラウザにより、人手を介さず、ブラウザが最適のタイミングで自動送信を実行することができる。
【発明を実施するための最良の形態】
【００１５】
ブラウザがアクセス中の1つ以上の情報提供Ｗｅｂページの情報に基づき、アクセス中の別の送信可能Ｗｅｂページにおいて、自動的に送信処理を可能とするという目的を、できるだけ簡潔に実現した。
【実施例１】
【００１６】
本実施例は、最も多く使用されているＭｉｃｒｏｓｏｆｔ社の「ＩｎｔｅｒｎｅｔＥｘｐｌｏｒｅｒ（商標）」のＢＨＯ（ブラウザヘルパーオブジェクト）での実装例に即して説明する。
【００１７】
図１は本発明の概略図である。
【００１８】
一般ユーザーが使用する情報処理装置は、インストールされているブラウザ３、メモリ７、ローカルストレージ８が図示されている。前記情報処理装置は、インターネットにアクセス可能なパソコン、ＰＤＡ、携帯電話等の情報処理装置であり、ＯＳ、画面表示部、入力部、通信処理部等を備えているが、本図では省略されている。
【００１９】
前記情報処理装置はインストールされているブラウザ３により、インターネット上の世界中のＷＷＷサーバーにアクセスし、ネットサーフィンが可能である。
【００２０】
図１において、ブラウザ３は、特定の業務を実行するために、1つ以上の情報提供Ｗｅｂページ（情報提供Ｗｅｂページ１ａ１、情報提供Ｗｅｂページ１ａ２・・・）をアクセスし、さらに前記情報提供Ｗｅｂページの情報を参照して、送信機能を有するＷｅｂページ２もアクセスしている。
【００２１】
ブラウザ３には図示するように、アクセスしたＷｅｂページに対応したタスクが示されている。情報提供Ｗｅｂページ１ａ１にはタスク４ａ1、情報提供Ｗｅｂページ１ａ２にはタスク４ａ２、送信可能Ｗｅｂページ２にはタスク５である。
【００２２】
処理の概略を図１に即して説明すると、情報提供Ｗｅｂページ１ａ１を処理しているタスク４ａ1は、情報提供Ｗｅｂページ１ａ１からのドキュメント情報を待ちうけ、所望のメッセージが送られてきた時、メモリ７に読み込まれた情報提供Ｗｅｂページ１ａ１のドキュメント情報を解析し、そして必要であれば、イベントメッセージをタスク５に通知（符号６ａ1）する。これは情報提供Ｗｅｂページ１ａ１だけでなく、情報提供Ｗｅｂページ１ａ２など、1つ以上の情報提供Ｗｅｂページで同様である。ただし、情報の種類、解析手法は異なりうる。
【００２３】
送信可能Ｗｅｂページ２の処理タスク５は、イベントメッセージの通知（６ａ1、６ａ２・・・）を受けて、イベントメッセージを取得し、前記取得されたイベントメッセージに基づいて条件が整えば、自動的に送信処理を行う。
【００２４】
前記自動的に送信処理を行う時、送信可能Ｗｅｂページ２の送信処理における仕様により、送信可能Ｗｅｂページ２のドキュメント情報を解析し、ローカルストレージに予め記録されている送信パラメータデータ８を読み出し、送信データを組み立て、送信処理を行うようにしてもよい。
【００２５】
図２はユーザー情報処理装置におけるブラウザ１１の各タスクの詳しい説明図である。
【００２６】
なお、図２においてタスクはブラウザ基本モジュール、ドキュメント情報取得モジュール、イベントメッセージ通知モジュール、イベントメッセージ取得モジュール、送信モジュール等が存在するが、簡便な説明のために情報提供Ｗｅｂページを処理しているタスク１２には、モジュール１３、１４と１５、送信可能Ｗｅｂページを処理しているタスク１６にはモジュール１７、１８、１９と２０のみ記している。又、情報提供Ｗｅｂページの処理タスクは1つ以上存在し得るが、代表として前記Ｗｅｂページ処理タスク１２のみ記した。
【００２７】
情報提供Ｗｅｂページを処理しているタスク１２は、ブラウザ基本モジュール１３により、ブラウザの基本的な機能であるＷｅｂページをアクセスし、画面表示等の処理を行っている。ドキュメント情報取得モジュール１４は、前記情報提供Ｗｅｂページからメモリ２２に読み込まれた前記情報提供Ｗｅｂページのドキュメント情報を取得し、解析する。そして必要であれば、送信可能Ｗｅｂページの処理タスク１６に通知するため作成されたイベントメッセージを、イベントメッセージ通知モジュール１５により前記タスク１６に通知（符号２１）する。この時、前記イベントメッセージの通知だけでなく、タスク間共通メモリに伝達データを設定するようにしてもよい。
【００２８】
前記情報提供Ｗｅｂページは時間により変化する情報を提供しているページなので、一定時間間隔ごとにドキュメント情報を取得する形式にしてもよい。その場合、前記情報提供Ｗｅｂページがアプレット等で自動的に更新されるタイプでは、タスク１２は一定時間間隔ごとに、ドキュメント情報取得モジュール１４により最新ドキュメント情報を取得する。又、ユーザーが手入力により、送信ボタンをクリックするなどして、現時点における前記情報提供Ｗｅｂページの最新情報を閲覧するタイプでは、タスク１２は情報提供Ｗｅｂページの再読み込み（リフレッシュ）を一定時間間隔で行い、ドキュメント情報取得モジュール１４により情報提供Ｗｅｂページの最新ドキュメント情報を取得する。
【００２９】
前記タスク１６では、前記イベントメッセージの通知（符号２１）を受けて、イベントメッセージ取得モジュール１９により、所望のイベントメッセージを取得する。該イベントメッセージは、1つ以上の情報提供Ｗｅｂページから通知される。通知された1つ以上のイベントメッセージに基づいて、予め設定してある最適のタイミングを決定するアルゴリズムにより、送信すべきタイミングを決定し、送信モジュール２０は前記送信可能Ｗｅｂページの送信機能と同等の送信処理を、人手を介さず自動的に行う。
【００３０】
前記送信処理を自動的に行う時、前記送信可能Ｗｅｂページの送信機能の仕様上の要請から、ドキュメント情報取得モジュール１８が前記送信可能Ｗｅｂページのドキュメント情報を取得し、該ドキュメント情報の送信対象部分を参照することにより、送信データを作成し、自動送信を行うようにしてもよい。
【００３１】
また、前記送信処理を自動的に行う時、前記送信可能Ｗｅｂページの送信機能の仕様上の要請から、ローカルストレージに記録されている送信パラメータデータ２３を参照することにより、送信データを作成し、自動送信を行うようにしてもよい。
【００３２】
図３は、情報提供Ｗｅｂページを処理しているタスクにおいて、情報提供Ｗｅｂページから提供されるドキュメント情報を、タイマー処理関数内で、どのように処理するか示している。
【００３３】
情報提供Ｗｅｂページを処理している前記タスクにおいて、タイマー（ＳｅｔＴｉｍｅｒで設定）が組み込まれているものとする。タイマーには、タイマー識別子、タイムアウト値が設定されている。タイムアウト値の時間が経過するとタイマー処理関数を実行する。これは一定時間間隔ごとに、タイマー処理関数を実行することを意味している。
【００３４】
フローチャートに即して説明すると、前記ＳｅｔＴｉｍｅｒで設定した前記タイマー識別子であれば（Ｓ１０１）、ドキュメント情報を取得（Ｓ１０２）する。前記ドキュメント情報は、情報提供Ｗｅｂページドキュメントとして、メモリに蓄えられているので、本取引で必要なデータのみ取り出す。次に、取り出された当該データを解析して、送信可能Ｗｅｂページを処理しているタスクにイベントメッセージを通知する必要がある場合（Ｓ１０３）、イベントメッセージの通知処理を行う（Ｓ１０４）。
【００３５】
図３の情報提供Ｗｅｂページを処理しているタスクは、1つ以上存在し、各情報提供Ｗｅｂページにより、取得するデータの性質が異なりうる。従って、送信可能Ｗｅｂページを処理している前記タスクに通知するべきイベントメッセージの内容、通知する判定条件も異なりうる。
【００３６】
図４は、送信可能Ｗｅｂページを処理しているタスクにおいて、情報提供Ｗｅｂページを処理しているタスクから通知されたイベントメッセージを、イベントメッセージ処理関数内で、どのように処理するか示している。
【００３７】
フローチャートに即して説明すると、情報提供Ｗｅｂページを処理しているタスクから通知されたイベントメッセージは、図４のイベントメッセージ処理関数で取り扱われる。該当するイベントメッセージの場合（Ｓ１１１）、イベントメッセージ情報を取得（Ｓ１１２）する。
【００３８】
次に、取り出された当該イベントメッセージによって送信条件が成立した場合（Ｓ１１３）、送信可能Ｗｅｂページの送信機能と同等の送信処理を自動的に行う（Ｓ１１４）。
【００３９】
前記送信処理を自動的に行うステップ（Ｓ１１４）において、送信可能Ｗｅｂページの送信機能の仕様により、前記送信可能Ｗｅｂページのドキュメント情報を取り出し、当該ドキュメント情報の送信処理に該当する部分を解析することにより、送信データを作成するようにしてもよい。さらに、予めローカルストレージに記録された送信パラメータデータを参照することにより、送信データを作成するようにしてもよい。
【００４０】
図５は、図４のステップ（Ｓ１１４）において、具体的な例により、どのように自動送信の処理を行うかを示している。
【００４１】
送信パラメータデータ１２１は送信可能Ｗｅｂページの送信に要する構成データである。当該データはローカルストレージに記録されていてもプログラムが固定的に保持してもよい。本例ではローカルストレージに記録されている。送信可能Ｗｅｂページのドキュメント１２２は、送信可能Ｗｅｂページを処理しているタスクによりアクセスされてメモリに記憶されている最新の送信可能Ｗｅｂページのドキュメントであるが、送信可能Ｗｅｂページを処理している前記タスクにより送信データの一部が作成されて変更される。
【００４２】
ドキュメント１２２について詳しく説明すると、図４のステップ（Ｓ１１３）により送信条件を満たしたら、送信可能Ｗｅｂページのドキュメントの送信する項目の値を、送信可能Ｗｅｂページを処理している前記タスクが設定する。ドキュメント１２２において、ＩＮＰＵＴタグ内のＮＡＭＥ属性の値が”ｋｉｎｇａｋｕ”であるＶＡＬＵＥ属性の値１５００が設定された値であり、ドキュメントオブジェクトをリセットすることで設定される。従って、前記送信可能Ｗｅｂページのドキュメントにおいて、ＮＡＭＥ＝”ｋｉｎｇａｋｕ”のＮＡＭＥ属性を有する入力項目の値（ＶＡＬＵＥ属性の値）は１５００に変更されることになる。
【００４３】
図５を処理の流れに沿って説明すると、まず、送信パラメータデータ１２１と送信可能Ｗｅｂページのドキュメント１２２の構成要素を比較する。前記構成要素とは送信可能Ｗｅｂページの送信に要する送信対象フィールドであり、図５の例に即して説明すると、構成要素はｐｉｄ、ｐｓｗｄ、ｓｓ、ｋｉｎｇａｋｕの４項目が該当する。
【００４４】
比較の結果、構成要素が等しければ、前記送信可能Ｗｅｂページのドキュメント１２２のＶａｌｕｅ属性に値が設定してある項目の値を優先して、送信用のデータを作成（１２３）する。図５の例では、ｓｓ＝3からｓｓ＝5に、ｋｉｎｇａｋｕ＝１２００からｋｉｎｇａｋｕ＝１５００に変更されている。
【００４５】
最後に、Ｎａｖｉｇａｔｅ２メソッド（図５の１２４）により、送信処理を行う。
【００４６】
図６は、自動送信のタイプ別説明図である。タイプ１は、ｏｎｃｌｉｃｋ属性などに設定されている関数をＮａｖｉｇａｔｅ２メソッドのパラメータに指定する。タイプ２はｈｒｅｆ属性のリンク情報を指定する。タイプ３はｆｏｒｍタグで、メソッドがＧＥＴで、ｉｎｐｕｔタグによる入力項目の設定がある。タイプ４はｆｏｒｍタグで、メソッドがＰＯＳＴで、ｉｎｐｕｔタグによる入力項目の設定がある。図５の自動送信における具体例は図６におけるタイプ４を例として示している。図６に示してあるように、Ｗｅｂページにおいて送信処理の実装は様々であり、対象とするＷｅｂページの送信処理の仕様により、ブラウザで自動的に送信処理を行う方法は異なり、前記タイプの複合した送信処理もある。
【００４７】
以上のごとく、本発明を好適な実施例により開示したが、本実施例は「ＩｎｔｅｒｎｅｔＥｘｐｌｏｒｅｒ」のＢＨＯの仕様で具体的に説明した。しかし、この仕様は発明を限定するためのものではなく、他のブラウザ、開発環境であれば、当然イベント処理の形態、言語仕様等が異なる。従って、頭記の特許請求の範囲で定義された各処理部と同等の機能を有する変形形態は本発明の範囲に含まれるものとする。
【図面の簡単な説明】
【００４８】
【図１】本発明の概略図である。
【図２】ユーザーのブラウザにおける各タスクの処理の概要である。
【図３】情報提供Ｗｅｂページ処理タスクにおけるタイマー処理関数のフローチャート図である。
【図４】送信可能Ｗｅｂページ処理タスクにおけるイベントメッセージ処理関数のフローチャート図である。
【図５】送信可能Ｗｅｂページ処理タスクにおける自動送信処理の具体例である。
【図６】送信パラメータのタイプ別説明。
【００４９】
１ａ１  情報提供Ｗｅｂページ
１ａ２  情報提供Ｗｅｂページ
２ 
送信可能Ｗｅｂページ
３ 
ユーザー情報処理装置におけるブラウザ
４ａ１  情報提供Ｗｅｂページ１ａ１を処理しているタスク
４ａ２  情報提供Ｗｅｂページ１ａ２を処理しているタスク
５      送信可能Ｗｅｂページを処理しているタスク
６ａ１  タスク４ａ１からタスク５へ通知されるイベントメッセージ
６ａ２  タスク４ａ２からタスク５へ通知されるイベントメッセージ
７      ユーザー情報処理装置におけるメモリ
８      ローカルストレージに記録された送信パラメータデータ
１１    ユーザー情報処理装置におけるブラウザ
１２    情報提供Ｗｅｂページを処理しているタスクの１つ
１３    ブラウザの基本モジュール
１４    ドキュメント情報取得モジュール
１５    イベントメッセージ通知モジュール
１６    送信可能Ｗｅｂページを処理しているタスク
１７    ブラウザの基本モジュール
１８    ドキュメント情報取得モジュール
１９    イベントメッセージ取得モジュール
２０    送信モジュール
２２    ユーザー情報処理装置におけるメモリ
２３    ローカルストレージに記録された送信パラメータデータ
１２１  送信処理を自動的に行うステップにおける送信パラメータデータ例
１２２  送信処理を自動的に行うステップにおける送信可能Ｗｅｂページのドキュメント例
１２３  送信処理を自動的に行うステップにおける送信データ例
１２４  送信処理を自動的に行うステップにおけるＮａｖｉｇａｔｅ２メソッド例
【図１】
2007323545.tif 000003
【図２】
2007323545.tif 000004
【図３】
2007323545.tif 000005
【図４】
2007323545.tif 000006
【図５】
2007323545.tif 000007
【図６】
2007323545.tif 000008